(57)【要約】      （修正有）【課題】従来から地震による振動に対して建築物を保護するために各種の免震装置を使用する方法がある。例えば、免震ゴムを支承体として使用するもの、地震による振動をダンパー装置により吸収するもの、地盤と建物側の基礎の間を絶縁するもの、基礎の中にアンカーボルトと一体になった免震装置を取付けるもの等である。こうした免震装置は小規模木造住宅にとっては、その工費が多額のものであったり、施工において特殊な技術を必要としたり、また工期も大きく必要としていた。【解決手段】逆さベタ基礎と、その上におかれる土台１と、土台１を逆さベタ基礎に緊結するアンカーボルトと、アンカーボルト周辺のベタ基礎に設けたくぼみと、アンカーボルトの取り付く土台の基礎に接する側に設けたくぼみと、逆さベタ基礎の要所要所に設けたストッパー３とからなり、安価な工費と工数で建物本体に伝わる地震動を減振せしめる減振住宅を実現できる。【選択図】図１
2008240251.tif 000002
【特許請求の範囲】
【請求項１】
逆さベタ基礎と、その上におかれる土台と、土台を逆さベタ基礎に緊結するアンカーボルトと、アンカーボルト周辺のベタ基礎に設けたくぼみと、アンカーボルトの取り付く土台の基礎に接する側に設けたくぼみと、逆さベタ基礎の要所要所に設けたストッパーとからなる減振工法で、地震の水平動が発生した際、逆さベタ基礎の表面上を土台が水平移動することにより、土台上部に構築された建築物本体に伝わる地震動を軽減せしめ、かつ、水平移動が想定範囲を超えてしまうことのないように抑制できることを特徴とする木造住宅の減振工法。
【発明の詳細な説明】
【技術分野】
【０００１】
本発明は地震時に基礎上を土台及び土台上部に構築された建築物（以下、上部建物と称す）が水平移動することにより基礎と土台の間に生じるせん断力を減少させ、上部建物に伝達される地震動を減少させることができる減振工法
【背景技術】
【０００２】
周知のとおり従来から地震による振動に対して建築物を保護するための方法として各種の免震装置を使用する方法がある。例えば、免震ゴムを支承体として使用するもの、地震による振動をダンパー装置により吸収するもの、地盤と建物側の基礎の間を絶縁するもの、基礎の中にアンカーボルトと一体になった免震装置を取付けるもの（特開平１１−６２１０７）等がある。
【発明の開示】
【発明が解決しようとする課題】
【０００３】
従来のこうした免震装置や構造の研究は大手建設会社により進められており、実用化もされている。しかしその大部分は大型建築物に対するものであった。近年小規模建築物にも適用可能なものも開発されてきているが、前述した免震ゴムやダンパー装置を使用するものは多額の費用と特殊な技術を必要とし、地盤と建物側基礎を絶縁するものは地盤側基礎と建物側基礎の二重構造となり多額の費用と数倍の日時を必要とする。
【０００４】
基礎の中にアンカーボルトと一体になった免震装置を取付けるものは、地震時の建物の想定水平移動寸法が少量である。また地震時のせん断力でアンカーボルトが延びて長くなるとの発想であり、また免震装置に多額の資金が必要となり取付け技術も要求される。
【０００５】
本発明は高額な費用、特別な工期、特殊な装置、特殊な施工技術のいずれも必要とせず、上部建物に伝達される振動を抑制するために提案されるものである。
【課題を解決するための手段】
【０００６】
逆さベタ基礎と、その上におかれる土台と、土台を逆さベタ基礎に緊結するアンカーボルトと、アンカーボルト周辺のベタ基礎に設けたくぼみと、アンカーボルトの取り付く土台の基礎に接する側に設けたくぼみと、逆さベタ基礎の要所要所に設けたストッパーとからなる減振工法で、地震の水平動が発生した際、逆さベタ基礎の表面上を土台が水平移動することにより、土台上部に構築された建築物本体に伝わる地震動を軽減せしめ、かつ、水平移動が想定範囲を超えてしまうことのないように抑制できることを特徴とする。
【発明の効果】
【０００７】
本発明は、基本的に通常の木造建物に使用され、基礎コンクリートとアンカーボルトと土台のみでせん断力を吸収し、上部建物に伝達される振動を抑制することができる減振工法である。本発明によれば従来の免震工法、減震工法におけるような特殊な装置・技術を必要とせず、複雑な工事もなく、減振工法を採用しない従来の木造住宅の工事日数とほとんど同じ日数で減振住宅を実現できる。
【発明を実施するための最良の形態】
【０００８】
本発明の実施例を図面にて説明する。
【実施例１】
【０００９】
図１は、本発明を用いた木造住宅の１階床組図の一部を示す。1は土台、2aと2bは床梁。土台と床梁を図のように格子状に組む。土台および床梁は通常の木造住宅で使う米松などの木材で構成される。本図には描かれていないが、土台及び床梁の上に上部建物が構築される。3はストッパーである。土台と床梁とで構成する１つの格子の中央に位置する。本図ではストッパーは1個しか描かれていないが、建物全体の規模に応じて、逆さベタ基礎および1階床組み全体の中で、要所要所に複数個構築される。４は土台および床梁が逆さベタ基礎上を移動してストッパーとぶつかったときに衝撃を和らげる緩衝材である。
【００１０】
図２は、図１のA-A’断面を示したものである。5が逆さベタ基礎。5の逆さベタ基礎および3のストッパーは通常の木造住宅の基礎と同じく鉄筋コンクリートで構成される。
【００１１】
図３は、土台と逆さベタ基礎の接点の拡大断面図であり、図４は同じくその平面図である。7はアンカーボルト、6aはアンカーボルト周辺の逆さベタ基礎に設けたくぼみ、6bはアンカーボルトの取り付く土台に設けたくぼみである。図では、アンカーボルトが１ヶ所しか描かれていないが、土台の長手方向に、通常の木造住宅で施工されると同様に複数個設置される。その複数の設置個所全てにおいて本発明の実施例では6a、6bのくぼみが施工される。このくぼみは、基礎と土台間にせん断が働いたときにアンカーボルトの変形を容易にすることを意図している。図には描かれていないが、土台の滑りを容易にするため、土台の底面のうち、くぼみ以外の部分には低摩擦材を敷くなり、塗布するなりしてある。
【００１２】
今、本実施例の住宅の地盤に地震による水平動が働いたとする。図５は、地盤と共に逆さベタ基礎が右方向に移動し、土台及びその上の上部建物は基礎上を滑ったときの想定図である。土台および基礎面のくぼみのせいでアンカーボルトは容易に折れ曲がる。図６は、そのときの土台および床梁と逆さベタ基礎およびストッパーの関係である。地盤、ベタ基礎およびストッパーが右に移動したとき、土台が元の位置に留まろうとして基礎表面上を滑るので、土台及び床梁からなる１階床組みはその格子状の形状を保ったまま元の位置に留まる。地盤及び基礎との相対位置関係でいえば、格子状の形状を保ったまま基礎表面上を左へ移動したように見える。そして地盤の水平動の距離が想定寸法を超えて移動した場合、土台あるいは床梁がストッパー及びそれを保護する緩衝材にぶつかることにより、土台、床梁および上部建物が、ベタ基礎上より外れることを防止できる。
【００１３】
図６は、地盤と共に逆さベタ基礎が左方向に移動した場合の、土台および床梁と逆さベタ基礎およびストッパーの関係である。地盤、ベタ基礎およびストッパーが左に移動したとき、土台が元の位置に留まろうとして基礎表面上を滑るので、土台及び床梁からなる１階床組みはその格子状の形状を保ったまま元の位置に留まる。地盤及び基礎との相対位置関係でいえば、格子状の形状を保ったまま基礎表面上を右へ移動したように見える。そして地盤の水平動の距離が想定寸法を超えて移動した場合、土台あるいは床梁がストッパー及びそれを保護する緩衝材にぶつかることにより、土台、床梁および上部建物が、ベタ基礎上より外れることを防止できる。
【００１４】
ここで、地震による地盤の水平動の想定寸法とは、土台と床梁で構成される格子の内径からストッパーの外径及び緩衝材が圧縮されたときにも保たれる緩衝材の厚さを引いたものである。想定寸法以内の水平動に対しては、土台より上の部分が基礎表面上を滑るためほとんど水平動は伝わらず、想定寸法を超えた水平動の地震の場合でも、本来の地震の水平動から想定寸法を差し引いた水平動しか上部建物には伝わらない。よって、土台上部に構築された建築物本体に伝わる地震動を軽減できることになる。
【図面の簡単な説明】
【００１５】
【図１】本発明を用いた木造住宅の１階床組図
【図２】基礎とストッパーと土台及び床梁の関係を示す図
【図３】土台と逆さベタ基礎の接点の拡大断面図
【図４】土台と逆さベタ基礎の接点の拡大平面図
【図５】地盤が右方向に移動したときの土台と逆さベタ基礎の拡大想定図
【図６】地盤が右方向に移動したときの基礎とストッパーと床梁の位置関係図
【図７】地盤が左方向に移動したときの基礎とストッパーと床梁の位置関係図
【符号の説明】
【００１６】
１  土台
2a、2b  １階床梁
3       
ストッパー
4       
緩衝材
5       
逆さベタ基礎
6a  基礎側のくぼみ
6b  土台側のくぼみ
7  アンカーボルト
【図１】
2008240251.tif 000003
【図２】
2008240251.tif 000004
【図３】
2008240251.tif 000005
【図４】
2008240251.tif 000006
【図５】
2008240251.tif 000007
【図６】
2008240251.tif 000008
【図７】
2008240251.tif 000009